(57)【要約】      （修正有）【課題】排泄物を洗浄除去し乾燥した後に繰り返し再使用可能な吸収部材を有する介護用パンツを提供する。【解決手段】パンツ本体２と吸収部材３とを具備する介護用パンツ１である。パンツ本体２は少なくとも外側に防水部材層を有する柔軟な材質であり、吸収部材３は少なくとも内側に排泄物を吸収保持する吸収材と外側に防水部材を有する２層以上を重ね合わせた柔軟な材質であり、且つ、吸収部材３は吸収保持した排泄物を洗浄除去し乾燥した後に繰り返し再使用可能である材質からなる。吸収部材３の外側面とパンツ本体２の内側面が相互に着脱自在な固着部１０を具備する。さらには、吸収部材３の両端部はパンツ本体２の半腰巻部４を越えて突出した張り出し部を有し、該張り出し部の外側面とパンツ本体２の外側面に別途設けた着脱自在な端固着部を具備する。【選択図】図１
0003185400.tif 000002
【実用新案登録請求の範囲】
【請求項１】
幅広な横方向両端部の内側面又は外側面に脇接着部を有する２つの半腰巻部とこれら２つの半腰巻部の相向かい合う中央部同士を縦方向両端部で連結固定する横幅狭な股間連結部を有するパンツ本体と、該パンツ本体の前記２つの半腰巻部及び前記股間連結部の内側面にその外側面が密着する吸収部材と、を具備する介護用パンツであって、
前記パンツ本体は少なくとも外側に防水部材層を有する柔軟な材質であり、前記吸収部材は少なくとも内側に排泄物を吸収保持する吸収材と外側に防水部材を有する２層以上を重ね合わせた柔軟な材質であり、且つ、前記吸収部材は吸収保持した排泄物を洗浄除去し乾燥した後に繰り返し再使用可能である材質からなり、
前記吸収部材の外側面と前記パンツ本体の内側面が相互に着脱自在な固着部を具備することを特徴とする介護用パンツ。
【請求項２】
前記吸収部材の少なくとも一層が布であることを特徴とする請求項１記載の介護用パンツ。
【請求項３】
前記吸収部材の両端部は前記パンツ本体の半腰巻部を越えて突出した張り出し部を有することを特徴とする請求項１又は２に記載の介護用パンツ。
【請求項４】
前記張り出し部の外側面と前記パンツ本体の外側面に別途設けた端固着部が着脱自在であることを特徴とする請求項３に記載の介護用パツ。
【考案の詳細な説明】
【技術分野】
【０００１】
本考案は、パンツ本体と吸収部材からなり、吸収部材が繰り返し再使用可能である介護用パンツに関する。
【背景技術】
【０００２】
従来、失禁パンツとして、特許文献１に開示されているように、パンツ本体の股部内側に防水シートを設け、さらに防水シートの人体と接触する側に通気性の表面シートを設け、これら２枚のシートの後端を部分的に接着し略ポケット状としたものであって、ポケットに吸収部材の端を挿入し２枚のシートの間に吸収部材を挟みこむことで吸収部材を固定し、表面シートの端をめくって吸収部材を容易に交換することができるものが知られている。また吸収部材としては、２枚の不織布の全周縁を接合することにより形成された内部の空間に略粒状または略粉状の吸収ポリマーを封入したものが知られている。
【先行技術文献】
【特許文献】
【０００３】
【特許文献１】特開２０１０−２３３６０２
【考案の開示】
【考案が解決しようとする課題】
【０００４】
しかしながら、特許文献１に開示されている失禁パンツでは、吸収部材に使用されるポリマー等は一度しか使用できず、使用後は廃棄処分せざるを得なかった。したがって、長期に渡って失禁パンツを使用し続ける必要がある場合、吸収部材を継続して大量に購入する必要があり、金銭的な負担が大きかった。
【０００５】
また、吸収部材は容易に交換できても、表面シートがパンツ本体と一体であるため、パンツ本体を交換するまで表面シートについた尿等の汚れはパンツ本体に残存し、陰部が不潔となるという問題もあった。
【０００６】
加えて、吸収部材はシートの間に挟まれているが、安定して固定されていないため、吸収部材がパンツ本体内でずれることによる尿漏れを防ぐことができず、特にパンツ装着時に激しく体を動かすと吸収部材が外れるおそれもあった。
【０００７】
本考案は、上記の課題を解決するためなされたものであって、吸収部材を繰り返し再使用することができ、吸収部材がずれることによる排泄物の漏れを防ぎ、より清潔な状態で使用でき、吸収部材の着脱及びパンツ自体の着脱が容易である介護用パンツを提供することを目的とする。
【課題を解決するための手段】
【０００８】
請求項１に記載の介護用パンツは、幅広な横方向両端部の内側面又は外側面に脇接着部を有する２つの半腰巻部とこれら２つの半腰巻部の相向かい合う中央部同士を縦方向両端部で連結固定する横幅狭な股間連結部を有するパンツ本体と、該パンツ本体の前記２つの半腰巻部及び前記股間連結部の内側面にその外側面が密着する吸収部材と、を具備する介護用パンツであって、前記パンツ本体は少なくとも外側に防水部材層を有する柔軟な材質であり、前記吸収部材は少なくとも内側に排泄物を吸収保持する吸収材と外側に防水部材を有する２層以上を重ね合わせた柔軟な材質であり、且つ、前記吸収部材は吸収保持した排泄物を洗浄除去し乾燥した後に繰り返し再使用可能である材質からなり、前記吸収部材の外側面と前記パンツ本体の内側面が相互に着脱自在な固着部を具備することを特徴としている。
【０００９】
請求項２に記載の介護用パンツは、請求項１に記載する構成を有する介護用パンツであって、前記吸収部材の少なくとも一層が布であることを特徴としている。
【００１０】
請求項３に記載の介護用パンツは、請求項１又は２に記載する構成を有する介護用パンツであって、前記吸収部材の両端部は前記パンツ本体の半腰巻部を越えて突出した張り出し部を有することを特徴としている。
【００１１】
請求項４に記載の介護用パンツは、請求項３に記載する構成を有する介護用パンツであって、前記張り出し部の外側面と前記パンツ本体の外側面に別途設けた端固着部が着脱自在であることを特徴としている。
【考案の効果】
【００１２】
請求項１に記載の考案によれば、吸収部材が排泄物を洗浄除去し乾燥した後に繰り返し再使用可能であるため、継続して大量に吸収部材を購入する必要がなく、長期に渡って介護用パンツを使用した場合の金銭的負担が小さくなる。また、パンツ本体が２つの半腰巻部の相向かい合う中央部同士を股間連結部で連結固定した形状であるため、介護用パンツのいずれか１つの半腰巻部を使用者の股下にくぐらせてから脇接着部により両脇を接続することで、介護用パンツの左右の脚孔に脚を通すことなく、介護用パンツを着脱できる。したがって、使用者が自力で介護用パンツを着脱できない場合でも、介護者が容易に介護用パンツを着脱させることができる。
【００１３】
また、吸収部材をパンツ本体に着脱自在に固定する固着部を備えているため、吸収部材が介護用パンツ中でずれ動くことによる排泄物の漏れを防止できる。介護用パンツを着用している間に吸収部材が外れることもない。さらに、固着部を着脱することにより吸収部材を全て交換でき、これにより汚れていない面が陰部に接するため、陰部を清潔に保つことができる。
【００１４】
請求項２に記載の考案によれば、吸収部材の少なくとも一層が布であるため、通常の洗濯及び乾燥という簡便な処理のみにより吸収部材を再使用することができる。
【００１５】
請求項３に記載の考案によれば、吸収部材の両端部が張り出し部を有し、パンツ本体の半腰巻部を越えて突出している。着用時には、この張り出し部は介護用パンツの外側に出ているため、張り出し部には排泄物の汚れがつき難い。したがって、吸収部材を交換する際に張り出し部を持つことにより、汚れた部分に触れずに交換することができる。
【００１６】
請求項４に記載の考案によれば、張り出し部の外側面とパンツ本体の外側面に着脱自在である端固着部が設けられている。該端固着部により、吸収部材の張り出し部は介護用パンツの外側に折り返されて固定できる。したがって、吸収部材がより強固にパンツ本体に固定され、吸収部材のずれをより防ぐことができる。また、張り出し部が介護用パンツの内側に入り込むことを防ぐことができる。
【図面の簡単な説明】
【００１７】
【図１】実施例１の介護用パンツの展開図。
【図２】図１のＡ−Ａ線及びＢ−Ｂ線の一部省略拡大断面図。
【図３】実施例１の介護用パンツの組立手順。
【図４】実施例１及び２の介護用パンツの側面上部の接合状態を示す図３の           C部の拡大説明図。
【図５】実施例２の介護用パンツの展開図。
【図６】実施例２のD−D線及びE−E線の一部省略拡大断面図。
【図７】実施例２の介護用パンツの組立手順。
【考案を実施するための形態】
【００１８】
以下に本考案に係る介護用パンツ１について、図面を参照しつつ説明する。図１は実施例１の介護用パンツ１の展開図であり、パンツ本体２と吸収部材３からなる。図１の最上段はパンツ本体２を外側及び内側から見た図、中段は吸収部材３を外側及び内側から見た図、下段はパンツ本体２と吸収部材３を重ねたものを内側から見た図である。なお、図１において、人体側の面を内側の面、その反対側の面を外側の面としている。以下の図においても同様である。
【００１９】
パンツ本体２は、２つの半腰巻部４と股間連結部５を備え、脇接着部６同士を接続することでパンツ形状となるものである。半腰巻部４は下腹部又は腰部を覆う横長の略帯状の形状をしている。股間連結部５は陰部を覆う縦長の略帯状の形状をしており、縦方向両端部で前記２つの半腰巻部４に連結する。これにより、実施例１では、相対向半腰巻部４の側縁と股間連結部５の両側縦縁の連結部分は緩やかな曲線を描いている。
【００２０】
吸収部材３は、パンツ本体２の内側に位置しており直接人体に接触し、排泄物を吸収して保持するものであり、排泄物を洗浄除去し、乾燥させて繰り返し再使用できるものである。図１に示すように、実施例１では、吸収部材３は一方の半腰巻部４から股間連結部５を経て他方の半腰巻部４へと延びる帯状の形状であるが、両端が横方向に広がった帯状等の様々な形状とすることができる。
【００２１】
また、実施例１では図１に示すようにパンツ本体２及び吸収部材３を平面で表しているが、立体的に形成された生地を用いたり、生地にダーツやギャザーを設けたり、プレスして生地を湾曲させたりすることにより、パンツ本体２及び吸収部材３をより立体的なものとすることができる。この場合、介護用パンツ１がより人体に添う形状となるため、より効果的に排泄物の漏れを防ぐことができる。
【００２２】
パンツ本体２及び吸収部材３は洗浄乾燥できるものであれば良いが、通常の下着やおむつ等と同程度の耐久性を備えていることが好ましい。綿、ウール等の天然繊維や、ナイロン、ポリエステル、ポリエチレン等の合成繊維、さらにこれらの混紡繊維など、様々なものを使用することができる。また、樹脂やゴム等をシート状に加工したもの等を使用することもできる。これらの繊維から形成される布は、不織布、織物、編物等のいずれでも良い。布を用いた場合は、通常のおむつ等と同様に洗濯乾燥が可能であるため、再使用のために特段の設備や手間を要しないという点で優れる。不織布を用いる場合、熱溶融により繊維を固定したもの、高圧水流により繊維を絡ませたもの等は柔軟性に富むため好適である。ニット等の伸縮性がある布は、より人体にフィットし、隙間からの排泄物の漏れを防ぐことができる点で優れている。ただし、布の伸縮に伴い層内に保持した水分が染み出さないものであることが必要である。
【００２３】
図２は、図１に示すＡ−Ａ線及びB−B線の断面図であり、実施例１におけるパンツ本体２及び吸収部材３を示すものである。実施例１では、パンツ本体２は防水部材層７からなる。吸収部材３の内側の面は吸収材８であり、外側の面は防水部材９である。
【００２４】
ここでは、パンツ本体２は防水部材層７の1層のみで構成されているが、内側に吸収材８を追加することもできる。パンツ本体２を防水部材層７の1層のみで構成すれば、介護用パンツ１全体の厚みが減少し、着心地が良いという点で優れる。吸収材８を加えると、介護用パンツ１の吸水性が向上し、排泄物の漏れをより防止することができるという点で優れる。同様に、吸収部材３についても、吸収材８や防水部材９の数を適宜増加させることができる。特に、吸収材８は十分な量の排泄物を吸収保持できるよう、複数の層から構成されるのが好ましい。
【００２５】
防水部材層７及び防水部材９は、排泄物等の水分を透過しないものであれば良いが、透湿性及び通気性を備えるものが着用時の蒸れ防止の点で優れる。ゴム等の素材自体が防水性を備えているものや、微小な繊維を細かく織ることにより透湿防水性を備えたもの、また布に樹脂やフィルム等を付与することにより防水性を後から付加したもの等のいずれでも良い。
【００２６】
吸収材８は、排泄物を吸収保持できるものであれば良い。綿等の吸水性に優れた素材を用いたものや、繊維の断面を変形させたり繊維を多孔化させたりすることで吸水性に優れる構造としたもの、繊維を織物等に加工した後に吸水性を高める処理を行ったもの等のいずれでも良い。また、肌と接する面には肌触りの良い素材や速乾性に優れる素材を用いると、装着時の不快感が緩和され好適である。ドビー織等の小さな凹凸を有する織地やメッシュ生地、不織布は肌触りが良好であり濡れ感が緩和される点で優れている。
【００２７】
なお、パンツ本体２及び吸収部材３に抗菌性を備えるものを使用すると、細菌に感染する危険性を減少できる点で優れる。また、消臭及び防臭性を備えるものとすると、介護用パンツ１装着時の悪臭を減少できる点で優れる。公知の抗菌性及び消臭性や防臭性を有する物質をパンツ本体２及び吸収部材３の原料に混合するほか、パンツ本体２及び吸収部材３にこれらの性質を有する層を追加しても良く、パンツ本体２や吸収部材３を製造した後に公知の物質を固着させることによりこれらの性質を付与しても良い。特に、本考案の介護用パンツ１を医療機関や介護施設で使用する際は、抗菌性を備えていることが望ましい。
【００２８】
パンツ本体２及び吸収部材３には、脇接着部６及び固着部１０が設けられている。脇接着部６はパンツ本体２の両脇を繋ぐものであり、固着部１０はパンツ本体２と吸収部材３を固定できるものである。脇接着部６はパンツ本体２の半腰巻部４の横方向の両端縁近傍である４箇所の領域に設けられる。固着部１０はパンツ本体２及び吸収部材３に設けられる。固着部１０は任意の位置に任意の個数設けることができるが、吸収部材３がずれ動かないように複数設けたり、広い面積を固着するように設けることが好ましい。
【００２９】
脇接着部６及び固着部１０は介護用パンツ１を着用して体を動かしても容易に外れることがなく、手で固着及び剥離ができるものであって、繰り返し洗濯できるものであれば良い。例として、面ファスナー、ボタン、スナップボタン、ベルト、種々のホック等が挙げられる。面ファスナーは着脱し易く、また薄いという点で優れている。ボタンは破損した場合でも交換が容易であるという点で優れている。ホックは小型で薄いという点で優れている。なお、脇接着部６及び固着部１０は介護用パンツ１着用時に人体に直接接触しないように取り付けられることが特に好ましい。介護パンツ着用時の不快感や、皮膚の損傷等の問題を防ぐことができるためである。
【００３０】
実施例１では、脇接着部６及び固着部１０として面ファスナー６及び１０を用いる。面ファスナー６はパンツ本体２の１つの半腰巻部４の外側の面の両脇の縁近傍に２箇所、もう１つの半腰巻部４の内側の面の両脇の縁近傍に２箇所設けられる。面ファスナー１０はパンツ本体２の半腰巻部４の中央近傍の内側の面に２箇所、吸収部材３の外側の面の上下縁近傍に２箇所設けられている。ここでは、図１に示すように面ファスナー６及び１０を細い線状としているが、太い線状等様々な形状とすることができる。
【００３１】
実施例１に係る介護用パンツ１の組立手順及び装着方法を図３に示す。まず、吸収部材３をパンツ本体２の内側の面に載せ、面ファスナー１０で吸収部材３の上下の端をパンツ本体２に固定する。使用者の股の間にパンツ本体２の半腰巻部４のいずれか一方をくぐらせ、半腰巻部４の横方向の両端部を重ねて、面ファスナー６で介護用パンツ１の両脇を固定する。
【００３２】
図４は、組み立てられた介護用パンツ１の側面（図３におけるC部）の拡大図である。面ファスナー６の幅を広くすれば、パンツ本体２の両脇の重ね幅を着用時に調整することができ、介護用パンツ１をより人体にフィットさせることが可能である。この場合、パンツ本体２の内側の面に設けられる面ファスナー６は肌に直接触れるおそれがあるため、柔らかい雌型（ループ型）の面ファスナーとすることが好ましい。
【００３３】
実施例１に係る介護用パンツ１では、吸収部材３が汚れた場合、吸収部材３の前後両端を引っ張ることにより吸収部材３が容易にパンツ本体２から取り外せるため、吸収部材３の交換の際に介護用パンツ１を完全に脱ぐ必要はない。また、吸収部材３が鼠径部や臀部等を覆わないため、介護用パンツ１着用時の動きを妨げず、着心地も良く、見た目も良い。
【００３４】
また、脇接着部６及び固着部１０を面ファスナー６及び１０とした場合には、固着及び剥離が容易である。従って、手先が不自由な者でも、自力で介護用パンツ１を着脱できる。また、広い面で固着するため外れにくい。さらに、さらに、面ファスナー６及び１０をより大きなものとしたり数を増やしたりすることにより、固着可能な面積を増加させることができる。これにより、面ファスナー６及び１０をより外れにくくしたり、脇を留める位置の微調整をすることが可能である。面ファスナー６及び１０を増やしても、着脱にかかる手間が増加することはない。加えて、面ファスナー６及び１０は薄いため、服のシルエットに影響しにくく、介護用パンツ１を着用していることが第三者に分かりにくい。
【００３５】
実施例２に係る介護用パンツ１の展開図を図５に示す。また、図６は図５におけるD−D線及びE−E線の断面図である。パンツ本体２、脇接着部６及び固着部１０の構造は実施例１と同様であるため説明は省略する。吸収部材３は、実施例１のものより長い帯状であり、パンツ本体２と重ねた場合に上下端が突出してた張り出し部を有している。また、パンツ本体２の外側面及び吸収部材３の外側面に端固着部１１が設けられている。
【００３６】
パンツ本体２、吸収部材３、脇接着部６及び固着部１０に用いることのできる素材等も実施例１と同様である。実施例２においても脇接着部６及び固着部１０として面ファスナー６及び１０を用い、端固着部１１として面ファスナー１１を用いる。端固着部１１は人体と直接接触することがないため、脇接着部６や固着部１０のように皮膚の損傷等に配慮する必要がない。したがって、端固着部１１として、ベルトや飾りボタン等の大型であるものや装飾性が高いものも好適に使用できる。これらは吸収部材３をより強固に固定できるという点で優れており、また介護用パンツ１の外観を改善できるという点で優れている。
【００３７】
実施例２に係る介護用パンツ１の組立手順を図７に示す。実施例１と同様に、吸収部材３をパンツ本体２に載せ、面ファスナー１０で吸収部材３をパンツ本体２に固定する。続いて、使用者の股の間にパンツ本体２の半腰巻部４のいずれか一方をくぐらせ、半腰巻部４の横方向の両端部を重ねて、面ファスナー６で介護用パンツ１の両脇を固定する。最後に、吸収部材３の張り出し部を外側に折り返し、面ファスナー１１同士で張り出し部をパンツ本体に固定する。組み立てられた介護用パンツ１の側面は実施例１におけるものと同様であり、図４に示すとおりである。なお、面ファスナー６で吸収部材３を固定した後、面ファスナー１１で張り出し部を固定し、その後使用者の股の間に半腰巻部４をくぐらせても良い。
【００３８】
また、吸収部材３を交換する際は、介護用パンツ１を下腿部まで下げ、使用済みの吸収部材３の面ファスナー１１を外し、張り出し部を持ち上方に引っ張ることで吸収部材３を外すことができる。さらに、新しい吸収部材３の両端を面ファスナー１１でパンツ本体２の外側に固定した後、パンツ本体２及び吸収部材３を重ねて履き、面ファスナー１０を体で圧着しても良い。この場合、吸収部材３の交換時に介護用パンツ１の内側の狭い空間に手を入れて作業する必要がなく、吸収部材３が交換しやすい。また、要介護者の装着している介護用パンツ１の吸収部材３を介護者が容易に交換できる。
【００３９】
実施例２に係る介護用パンツ１では、吸収部材３の張り出し部が介護用パンツ１の外側に出ており、さらに面ファスナー１１により固定されているため、張り出し部が介護用パンツ１の内側に入り込むことがない。したがって、張り出し部には排泄物による汚れがつきにくい。よって、張り出し部を持つことにより手を汚すことなく吸収部材３を交換できる。また、汚物に触れなくて良いため、しっかりと吸収部材３を把持でき、吸収部材３の交換時に吸収部材３を落とす等のトラブルを防ぐことができる。
【００４０】
なお、これらの実施例は、本考案の実施形態の一つに過ぎず、考案の技術的範囲を逸脱しない程度で設計変更が可能である。
【産業上の利用可能性】
【００４１】
本考案に係る介護用パンツは、乳幼児用オムツ、生理用ショーツ、健常者の尿漏れ失禁用パンツ、軽度の要介護者用の介護用パンツ、寝たきり等の重度の要介護者用の布オムツ等として用いることができる。また、一般家庭での使用に限定されず、医療現場、介護施設等の様々な場所で用いることができる。
【符号の説明】
【００４２】
１  介護用パンツ
２  パンツ本体
３  吸収部材
４  半腰巻部
５  股間連結部
６  脇接着部（面ファスナー）
７  防水部材層
８  吸収材
９  防水部材
１０  固着部（面ファスナー）
１１  端固着部（面ファスナー）
【図１】
0003185400.tif 000003
【図２】
0003185400.tif 000004
【図３】
0003185400.tif 000005
【図４】
0003185400.tif 000006
【図５】
0003185400.tif 000007
【図６】
0003185400.tif 000008
【図７】
0003185400.tif 000009